(57)【要約】      （修正有）【課題】室内で、いつでも、膝関節と股関節を最大限に屈伸して、歩行運動が出来て、下半身の血流を改善が出来るエアー散歩器具を提供する。【解決手段】上向き姿勢の人の足首部分を支える部分２をもつひも状部品１と、ひも状部品１を固定部品４で支持する部品３からなる。ひも状部品１を支持する部品３を高さ調整可能に支持する支持部品６を備える。【選択図】図１
0003178789.tif 000002
【実用新案登録請求の範囲】
【請求項１】
上向き姿勢の、人の足首部分を支える部分（２）を持つ、ひも状部品（１）と、このひも状部品（１）を固定部品（４）をもちいて支持する部品（３）からなる構成からなって、支えた足首で、足を空中に浮かせて、股関節、膝関節を大きく屈曲して歩行動作運動が出来る構造のエアー散歩器具。
【請求項２】
請求項１からなる構成の（１）、（２）、（３）、（４）を足首部分が、空中で股関節、膝関節を大きく屈曲して、歩行動作運動が安定してやりやすい位置に固定出来ることを目的として、色々の形状にした部品（６）からなる構造のエアー散歩器具。
【考案の詳細な説明】
【技術分野】
【０００１】  本考案は室内でいつでも下半身の運動が出来ることを目的に、また病気、老化、怪我、そして膝痛等で歩行が困難な人の運動補助も目的に、下半身の運動を寝た姿勢で空中にあげた足を、体重の負担がなく、大きな散歩動作が出来て、股関節と膝関節を大きく動かせて、筋肉を大きく伸展出来るようにした、エアー散歩器具に関する。【０００２】  従来の下半身の健康保持器具には例えば電動式ウオーカー、電動式ランニング器具のように動いているベルトの上を歩く、走る器具とか又は踏み台を使用するものがある。【０００３】  しかしながらこれらの構造の器具は通常の散歩と同じように、立った状態での使用のために下半身には体重がかかっている。従って下半身に痛みがあれば使用が困難となる。また寝たきりの状態では使用が出来ないという欠点がある。
【考案の概要】
【考案が解決しようとする課題】  健康を維持するためには散歩が欠かせない。下半身の運動は、股関節、膝関節を大きく屈曲させて、下半身を支える筋肉を伸展して血流を改善することにある。しかし時間がとれない人も多く、このために室内で出来る健康器具がある。これらの器具は基本的には立った姿勢での使用のために膝等の下半身に痛みのある人または寝ている病人には使用が出来ない。また、使用すると騒音があり、使用制限もある。また、運動の時間も長く必要で、継続が困難である。本考案は、これらの問題を改善して、短時間の動作で大きな効果を得られることを考えた健康器具である。、寝た姿勢で股関節、膝関節を最大限に大きく、早く動かせて、筋肉を大きく伸展出来ることから下半身の血流改善効果を大きくした、エアー散歩器具を提供することを目的としている。
【課題を解決するための手段】  上記目的を達成するために、本考案は、人が上向きに寝た状態で、のばした足の足首をひも部品（１）の、足首部を乗せる部分（２）にかける。ひも部品（１）はクッション性のある伸縮部材からなり、足首を空中で（２）の部分によってひもが締まり支える。このひも部品（１）は特にクッション性、伸縮のない材質でも使用可能である。このひも部品（１）は上向きに寝た状態で、のばした足の足首を、床から大体２０ｃｍ〜５０ｃｍの高さに支えられる高さに、ひも部品（１）をひも固定器具（３）に固定する。このひも状部品（１）は固定器具から十分に長く、例えば７０ｃｍ程度の長さにつるす。エアー散歩器具は以上の構成からなるから、上向きに寝た状態で足を伸ばして足首を、足首固定部分（２）に乗せると、体重がかかることなく、足を大きく屈伸することが出来る。この屈伸運動で、股関節、膝関節を大きく動かす目的が満たせる。
【考案の効果】以上の説明から明らかなように、本考案にあっては次に列挙する効果が得れる。
（１）請求項の構成要件で構成されているので、体重に関係なく、大きく足の屈伸運動を行うことが出来る。この屈伸運動で股関節、膝関節を大きく動かせることから、下半身の筋肉の伸展が出来て、血流を良くする効果を得られる。この結果健康の維持をはかれる。
（２）上向きの寝た状態で足の屈伸が出来ることから、膝の痛む人、下半身を動かせる病人等が下半身の運動ができることから、膝痛の改善、腰痛の改善等下半身の痛み改善効果が得られる等、リハビリ効果が得られやすい。特に、老化現象で発生する、膝関節の痛み改善の効果が大きい。
（３）室内でいつでも、しかも短時間に、下半身の運動が十分に出来ることから、疲労回復効果も大きい。また、足関節部筋肉の血流改善効果も大きく、足関節をくじくことを防止する。この血流改善で、通常の歩行動作が楽になり、さらに健康改善効果が大きくなる。
【図面の簡単な説明】
【図１】  本考案の一実施例での製品構造の説明図である。（１）はクッション性があり伸展する材質、例えば幅が広いゴムを使用した足首を支えるひも状部品。（２）は足首部分を乗せると足首が締まるひも状部品（１）の一部分で特別の加工がなくても可能。（３）は足を支えるひも部品（１）を固定する支柱。（４）はひもを支柱に固定出来て、両足の間隔を調整出来る部分。（６）は支柱（３）を固定する部品。（５）は支柱（３）の高さ調整する部分でひも状部品（１）を適当の高さに調整する。この（６）の部品図はあくまでも一例であり、色々の状況に合わせた形状の構造が可能である。例えば、ベットの両脇の部品にセット出来る構造も考えられる。また、他の運動器具、例えば、つり下がり器具の一部を利用する構造にすることも可能である。
【図２】  本考案の使用方法の説明図である。（７）は人が寝た状態の模型図。両足首を（２）のひも部分に乗せて、あしの屈伸を散歩の要領で、股関節と膝関節を大きく屈曲して、空中で足踏みをする。
【考案を実施するための形態】
以下、本考案の実施形態を図に基づいて説明する。
【実施例１】  図１に本考案、エアー散歩器具の完成形態の一実施例を示す。この図に基づいて説明する。全体の構成は、ひも状部品（１）とこれを支える部品（３）とこの（３）の部品を高さ調整して、運動動作に耐えられる支持部品（６）からなっている。ひも部品（１）は足首を乗せられる部分（２）を持つ、クッション性のある伸展材質である。このひも状部品（１）は（４）の固定部品で支持部品（３）に両足の間隔を、足の屈伸運動が、楽に出来る位置に固定される。（１）の長さは足の屈伸運動が大きく出来る長さ、例えば約７０ｃｍ前後にする。本考案は以上の構成からなっているので、図２に示すように、このひも（１）の下に人（７）が、仰向けに寝て、足首をひも状部品（１）の部分（２）に乗せれば、足の重さで、ひも状部品（１）が伸びて足首が固定出来る。このようにして、両足が空中に、体重の負担がなく、自由に動かせる状態になる。この状態で、膝関節と股関節を大きく屈伸すると、空中で大きな歩行運動を繰り返す動作が出来る。体重の負担がないので、両関節を最大限に屈伸運動出来る。
【産業上の利用可能性】本考案は、健康保持器具、リハビリ用器具、下半身の痛みを治療する器具を製造する産業で利用可能である。
【図１】
0003178789.tif 000003
【図２】
0003178789.tif 000004
【手続補正書】
【提出日】平成24年7月11日(2012.7.11)
【手続補正１】
【補正対象書類名】実用新案登録請求の範囲
【補正対象項目名】全文
【補正方法】変更
【補正の内容】
【実用新案登録請求の範囲】
【請求項１】
上向き姿勢の、人の足首部分を支える部分（２）を持つ、ひも状部品（１）と、このひも状部品（１）を固定部品（４）をもちいて支持する部品（３）からなる構成からなって、支えた足首で、足を空中に浮かせて、股関節、膝関節を大きく屈曲して歩行動作運動が出来る構造のエアー散歩器具。
【請求項２】
ひも状部品（１）を支持する部品（３）を高さ調整可能に支持する支持部品（６）を備えたことを特徴とする請求項１記載のエアー散歩器具。